(57)【要約】【課題】既設のメタル電話線を利用して、新規に光ファイバーケーブルを通線可能とする通線装置および通線方法を提供する。【解決手段】管路内に挿通する線条体に取り付ける通線装置１００であって、線条体を連結可能とし可撓性を有するロッド１１と、このロッド１１に縦添えされ通線方向先端部がロッド１１の先端部１５に固定される複数本のワイヤー１３と、を備え、ワイヤー１３を通線方向後端側で操作してロッド１１の先端部１５を任意方向に首振り可能にした。また、通線装置１００のロッド１１には、管路内の既設線を通すための複数のリングを、長手方向に沿って取り付けることが好ましい。【選択図】図１
2010263694.tif 000002
【特許請求の範囲】
【請求項１】
管路内に挿通する線条体に取り付けられる通線装置であって、
前記線条体を連結可能とし可撓性を有するロッドと、該ロッドに縦添えされ通線方向先端部が前記ロッドの先端部に固定される複数本のワイヤーと、を備え、
前記ワイヤーを通線方向後端側で操作して前記ロッドの先端部を任意方向に首振り可能にしたことを特徴とする通線装置。
【請求項２】
請求項１記載の通線装置であって、
前記ロッドには、管路内の既設線を通すための複数のリングが長手方向に沿って取り付けられたことを特徴とする通線装置。
【請求項３】
請求項１又は請求項２記載の通線装置であって、
前記ワイヤーは、前記ロッドの周方向に離間して縦添えされることを特徴とする通線装置。
【請求項４】
請求項１〜請求項３のいずれか１項に記載の通線装置であって、
前記ロッドの先端部が硬質体からなり、該硬質体の後部に連続する前記ロッドの一部分が屈曲容易部となることを特徴とする通線装置。
【請求項５】
請求項１〜請求項４のいずれか１項に記載の通線装置であって、
前記ロッドの先端部に、管路内を観察する撮像手段が設けられることを特徴とする通線装置。
【請求項６】
既設管路内に線条体を挿通する通線方法であって、
前記線条体の先端に可撓性を有するロッドを取り付け、
該ロッドの先端部に固定したワイヤーを通線方向後端側で操作することで前記ロッドの先端向きを任意方向に変えて管路内に前記線条体を通線することを特徴とする通線方法。
【請求項７】
請求項６記載の通線方法であって、
途中で離間した一方の管路から、前記ロッドの先端向きを変えて他方の管路に前記線条体を通線することを特徴とする通線方法。
【発明の詳細な説明】
【技術分野】
【０００１】
本発明は、管路に線条体を通線する通線装置および通線方法に関する。
【背景技術】
【０００２】
従来、管路への通線は、図８に示すように、巻取りドラム５００に巻取られた高剛性の線条体５０１を管路５０３の一方から挿入し、線条体５０１を押し込んで行くことによって線条体５０１を管路５０３の所定の部位まで通線する。線条体５０１は高剛性なので、押し込むとき加えられた押し込み力が線条体５０１の先端部５０５にまで伝えられる。また、先端部５０５には複数の突出部材５０７が設けられ、先端部５０５をスムーズに押し込み可能としていた。
【０００３】
ところが、上記通線方法は、進路の変更を行なえるような機構は設けられておらず、既にケーブル等が敷設された既設管路では新たなケーブルを挿通しようとしてもスムーズに通線することができない場合があった。
【０００４】
このような不具合を解消するものとして、例えば図９（ａ）に示す特許文献１の通線装置５０９は、外周面から突出する複数の突出部材５１１を有する可動部５１３と、この可動部５１３を回転させ或いは振動させる可動手段５１５とを備え、管路内に通線するケーブル５１７等の先端に設けることで、図９（ｂ）に示すように、既設管路５１９に通線する場合、複数の突出部材５１１を設けた先端の可動部５１３が既設ケーブル５２１の外周面を這うように移動し、既設ケーブル５２１間の谷部に落ち込んでも容易に這い出し、結果的に既設ケーブル５２１を避けるように進行方向を変えながら押し込むことが可能となった。
【先行技術文献】
【特許文献】
【０００５】
【特許文献１】特開平７−１４３６３４号公報
【発明の概要】
【発明が解決しようとする課題】
【０００６】
既設マンションの各戸に、光ファイバーケーブルを配線する場合、例えば既設の電話線用配管を利用して光ファイバーケーブルを通線する方法がもっとも経済的である。
しかしながら、既設の電話線用配管には、所謂キセル配管と呼ばれる図１０（ａ）〜（ｃ）に示すような途中で配管５１９，５１９が途切れている場合も多く、上記通線装置５０９をもってしても進行方向を変えながら押し込むことはできず、従来はキセル配管に新たな光ファイバーケーブルを通線する手段がなかった。
【０００７】
本発明は上記状況に鑑みてなされたもので、その目的は、既設のメタル電話線を利用して、たとえキセル配管内に通線する場合であっても、新規に光ファイバーケーブルを通線可能とする通線装置および通線方法を提供することにある。
【課題を解決するための手段】
【０００８】
本発明に係る上記目的は、下記構成により達成される。
（１）  管路内に挿通する線条体に取り付けられる通線装置であって、
前記線条体を連結可能とし可撓性を有するロッドと、該ロッドに縦添えされ通線方向先端部が前記ロッドの先端部に固定される複数本のワイヤーと、を備え、
前記ワイヤーを通線方向後端側で操作して前記ロッドの先端部を任意方向に首振り可能にしたことを特徴とする通線装置。
【０００９】
この通線装置によれば、通線方向後端側でワイヤーが操作されると、ロッドの先端部が引っ張られたワイヤー側に屈曲され、途中で離間した一方の管路から導出されたロッドの先端部が、離間して配置される他方の管路の開口に方向転換可能となる。
【００１０】
（２）  （１）の通線装置であって、
前記ロッドには、管路内の既設線を通すための複数のリングが長手方向に沿って取り付けられたことを特徴とする通線装置。
【００１１】
この通線装置によれば、ロッドがリングに通した既設線をガイドに挿入され、途中で離間した一方の管路から導出され、既設配管によるガイドが断たれた時であっても、既設線に沿ったガイドが可能となり、離間して配置される他方の管路に方向転換され易くなる。この作用に、上記屈曲動作が加わることで、キセル配管での通線がより容易となる。つまり、リングにて大体の管路に方向転換され、屈曲動作で最終的な離間管路への挿入がより確実に達成される。
【００１２】
（３）  （１）又は（２）の通線装置であって、
前記ワイヤーは、前記ロッドの周方向に離間して縦添えされることを特徴とする通線装置。
【００１３】
この通線装置によれば、それぞれのワイヤーが周方向に離間して配置されることで、特定のワイヤー、或いは複数のワイヤーを同時に引っ張り操作することで、ロッドを回転させずに、所望の方向に先端部が屈曲可能となる。
【００１４】
（４）  （１）〜（３）のいずれか１つの通線装置であって、
前記ロッドの先端部が硬質体からなり、該硬質体の後部に連続する前記ロッドの一部分が屈曲容易部となることを特徴とする通線装置。
【００１５】
この通線装置によれば、硬質体からなる先端部の後方に、軟質材或いは屈曲構造からなる屈曲容易部が設けられることで、先端部を所望の方向に屈曲し易くできる。また、屈曲容易部の長さにより屈曲半径の特定が可能となる。なお、屈曲容易部が設けられる場合であっても、ロッド全体は可撓性を有する。つまり、屈曲容易部は、ロッドの他の部分よりも屈曲容易に構成される。
【００１６】
（５）  （１）〜（４）のいずれか１つの通線装置であって、
前記ロッドの先端部に、管路内を観察する撮像手段が設けられることを特徴とする通線装置。
【００１７】
この通線装置によれば、管路内の画像情報が管路外から分かるので、ワイヤー操作が的確に行え、よりスムーズな通線が可能となる。
【００１８】
（６）  既設管路内に線条体を挿通する通線方法であって、
前記線条体の先端に可撓性を有するロッドを取り付け、
該ロッドの先端部に固定したワイヤーを通線方向後端側で操作することで前記ロッドの先端向きを任意方向に変えて管路内に前記線条体を通線することを特徴とする通線方法。
【００１９】
この通線方法によれば、ロッドが、途中で離間した一方の管路から導出され、既設配管によるガイドが断たれても、通線方向後端側でワイヤーが操作されることで、ロッドの先端部が屈曲して、所望の方向へ自立して方向転換可能となる。
【００２０】
（７）  （６）の通線方法であって、
途中で離間した一方の管路から、前記ロッドの先端向きを変えて他方の管路に前記線条体を通線することを特徴とする通線方法。
【００２１】
この通線方法によれば、ロッドが、途中で離間した一方の管路から導出され、既設配管によるガイドが断たれ、そのまま押し込まれる従来の通線方法では、離間して配置される他方の管路に到達できない場合であっても、ロッドの先端部が他方の管路に向かって方向転換され、他方の管路へ進入可能となる。
【発明の効果】
【００２２】
本発明に係る通線装置によれば、ワイヤーを通線方向後端側で操作して、ロッドの先端部を任意方向に首振り可能にするので、従来、通線の不可能であった途中で離間した一方の管路から他方の管路に線条体を通線することができる。
【００２３】
本発明に係る通線方法によれば、ロッドの先端部に固定したワイヤーを通線方向後端側で操作することで、ロッドの先端向きを任意方向に変えて管路内に線条体を通線するので、途中で管路が離間した所謂キセル配管であっても、一方の管路から出たロッドの先端部を屈曲させて方向転換し、他方の管路へ導くことができる。
【図面の簡単な説明】
【００２４】
【図１】本発明に係る通線装置の要部斜視図である。
【図２】図１に示した通線装置の首振り状態を表す側面図である。
【図３】リングを備えたロッドの斜視図である。
【図４】ロッドの軸線直交方向の断面図である。
【図５】屈曲構造からなる屈曲容易部の断面図である。
【図６】通線方向後端側に設けられる操作部の断面図である。
【図７】発明に係る通線装置を用いたキセル配管の通線状況を表した動作説明図である。
【図８】従来の通線装置の一例を示す概略構成図である。
【図９】（ａ）は従来の通線装置の正面図、（ｂ）は（ａ）に示した通線装置の作動原理を説明する概要図である。
【図１０】キセル配管の例を（ａ）（ｂ）（ｃ）に示した概念図である。
【発明を実施するための形態】
【００２５】
以下、本発明の実施の形態を図面を参照して説明する。
図１は本発明に係る通線装置の要部斜視図、図２は図１に示した通線装置の首振り状態を表す側面図である。
本実施の形態による通線装置１００は、管路内に通線する光ファイバーケーブル等の線条体の先端に直接取り付けることができる。また、通線装置１００は、２０ｍ程度までの管路に対する通線を想定し、同程度の長さで形成した通線装置１００を管路に挿通後、この通線装置１００に線条体を連結させて、管路内に挿通するものであってもよい。本実施の形態では、線条体が後工程で取り付けられる場合を例に説明する。
【００２６】
通線装置１００は、可撓性を有するロッド１１を有する。ロッド１１の後端には上記線条体を連結させるための図示しない係止手段が取り付けられている。係止手段としては、押さえ巻きする粘着テープや、専用のクランプ手段を挙げることができる。但し、既設配管の管路内における挿通性を低下させないよう、取り付け部は小径であることが望ましい。なお、本実施の形態において、光ファイバーケーブルを通線する既設配管は、内径２２ｍｍ程度である。
【００２７】
通線装置１００は、ロッド１１の外径が２〜１１ｍｍ程度で形成される。通線装置１００は、ロッド１１を少なくとも管路長相当の全長にて形成する。ロッド１１の材質としては、ＦＲＰ（Fiber Reinforced Plastics）の他、ポリプロピレン、ポリエチレン、ポリウレタン、ポリスチレン、フッ素を材質としたゴム等を用いることができる。
【００２８】
ロッド１１には複数本のワイヤー１３が縦添えされ、ワイヤー１３は通線方向先端部がロッド１１の先端部１５に固定用押え巻きテープ１７等により固定される。ワイヤー１３は、材質にＳＵＳ、鋼線等が用いられ、外径が０．１〜０．５ｍｍ程度となる。ロッド１１の先端部１５は、少なくとも１０ｍｍ以上の長さを有する。既設配管が所謂キセル配管である場合、途中で離間する一方の管路から他方の管路までの距離が最大で５００ｍｍ程度であることを想定するためである。先端部１５は、ＦＲＰ等の硬質体からなる。この他、先端部１５には、ＳＵＳやセラミックが用いられても良い。
【００２９】
ワイヤー１３は、先端部１５以外でロッド１１の側面に沿って、支持チューブ（不図示）等によって縦添えされ、ロッド１１に対して相対的に移動自在となる。ワイヤー１３は、管路外の線条体の押し込み位置まで引き出される長さを有する。ロッド１１は、ワイヤー１３が引っ張られることで、図２に示すように、先端部１５が引っ張られたワイヤー１３の側に屈曲される。
【００３０】
通線装置１００は、通線方向後端側でワイヤー１３を操作することで、ロッド１１の先端部１５を引っ張られたワイヤー側に屈曲できる。ワイヤー１３は、ロッド１１の周方向に離間して縦添えされている。本実施の形態では、円周方向に９０度の角で４本のワイヤー１３が縦添えされる。それぞれのワイヤー１３が周方向に離間配置されることで、特定のワイヤー１３、或いは複数のワイヤー１３を同時に引っ張り操作することで、ロッド１１を回転させずに、所望の方向に先端部１５が屈曲可能となっている。なお、本実施の形態では、４本のワイヤー１３を設ける構成例を説明するが、ワイヤー１３は２本であってもよい。この場合、屈曲方向以外への方向転換は、ロッド１１自体を回転することにより対応が可能となる。
【００３１】
図３はリングを備えたロッドの斜視図、図４はロッドの軸線直交方向の断面図である。
ロッド１１には、管路内の既設線２１を通すための複数のリング２３が長手方向に沿って取り付けられることが好ましい。リング２３の外径は、２０ｍｍ以下に設定される。リング２３の設けられる長さは、１００〜５００ｍｍ程度となる。ロッド１１がリング２３に通した既設線２１をガイドとして管路へ挿入され、途中で離間した一方の管路から導出され、既設配管によるガイドが断たれた時であっても、既設線２１に沿ったガイドが可能となり、離間して配置される他方の管路に方向転換され易くなる。この作用に、上記屈曲動作が加わることで、キセル配管での通線がより容易となっている。つまり、リング２３にて大体の管路に方向転換され、屈曲動作で最終的な離間管路への挿入がより確実に達成されるようになっている。なお、図４中、θはワイヤー１３の配置間隔９０度を示す。
【００３２】
また、通線装置１００は、硬質体からなる先端部１５の後部に、ロッド１１の一部分である屈曲容易部２５を連接することが好ましい。屈曲容易部２５は、図３に示すように、例えば先頭リング２３の近傍から先端部１５までの間とすることができる。先頭リング２３にて既設線２１に支持されないロッド先端部分のみを任意方向に方向転換可能とするためである。屈曲容易部２５は、ロッド１１の他方の部分よりも軟質材料を使用することで構成できる。この他、後述するように屈曲構造としてもよい。
【００３３】
硬質体からなる先端部１５の後方に、軟質材或いは屈曲構造からなる屈曲容易部２５が設けられることで、先端部１５を所望の方向に屈曲し易くできる。また、屈曲容易部２５の長さにより屈曲半径の特定が可能となる。屈曲容易部２５が設けられる場合であっても、ロッド全体は可撓性を有する。つまり、屈曲容易部２５は、ロッドの他の部分よりも屈曲容易に構成され、リング２３付設部分よりも容易に方向転換される。
【００３４】
ロッド１１の先端部１５には、管路内を観察する撮像手段３１の設けられることが好ましい。撮像手段３１は、先端部１５の先端面に設けられる光学系３３と、先端部１５に内蔵されるＣＣＤ（不図示）と、ＣＣＤから画像情報を転送する信号電線３５とからなる。信号電線３５は、外部に設けられるモニタ（不図示）に接続される。したがって、先端部１５、屈曲容易部２５、ロッド１１には、信号電線３５を挿通する電線挿通路の形成されることが好ましい。この他、撮像手段３１に付属して、ＬＥＤやライトガイド等の照明手段の設けられることが良好な画像を得る上でより好ましい。撮像手段３１を備えることで、管路内の状態が管路外から分かるので、屈曲のためのワイヤー操作が的確に行え、よりスムーズな通線が可能となる。
【００３５】
図５は屈曲構造を採用した屈曲容易部の断面図である。
屈曲容易部２５は、上記した軟質材を使用する構成の他、屈曲構造とすることができる。例えば、屈曲容易部２５は、円筒状の複数の短管３２をピン３４によって９０度ごと位相させて回動自在に連結するとともに、短管３２の内部にワイヤー１３を挿通させてピン３４にてガイドさせることができる。そのワイヤー１３を押し引き操作することによって、短管３２同士が回動して屈曲容易部２５が屈曲される。屈曲容易部２５を、このような屈曲構造とすることで、先端部１５をより確実に所望の方向に向けることができる。なお、この屈曲構造の場合、内部に挿通したワイヤー１３は、屈曲容易部２５の先端側内部で先端部１５に固定される。つまり、ワイヤー１３は、ロッド１１の内部に収容することができる。
【００３６】
図６は通線方向後端側に設けられる操作部の断面図である。
通線装置１００は、通線方向後端に操作部３７が設けられても良い。４本のワイヤー１３は、交差せずにその位置を保ったまま操作部３７のプーリ３９に巻きかけられる。プーリ３９を備えた操作部３７が設けられる場合、４本のワイヤー１３は、図４に示す上下のワイヤー１３，１３、左右のワイヤー１３，１３が、それぞれ無端状のループとなる。なお、図６には一対のワイヤー１３，１３が巻かれる一方のプーリ３９のみを示す。他方のプーリは、図示するプーリ３９の軸４１に直交する軸又は同方向の軸で回動自在に支持されて他方の一対のワイヤー１３，１３が巻かれる。これらプーリ３９は、操作部３７の外部で軸４１に固定される操作摘み（図示せず）等によって回動操作可能となる。
【００３７】
操作摘みを操作してプーリ３９を回動させると、ワイヤー１３，１３が押し引き操作され、これによって先端部１５が屈曲される。例えば、操作摘みを時計回りに回転させた際には、下方のワイヤー１３が繰り出され、上方のワイヤー１３が引っ張られるため、屈曲容易部２５が上方に屈曲される。逆に操作摘みを反時計回りに回転させた際には、下方のワイヤー１３が引っ張られ、上方のワイヤー１３が繰り出されるため、屈曲容易部２５は下方に屈曲される。
【００３８】
次に、上記構成の通線装置１００を用いた通線方法を説明する。
図７は発明に係る通線装置を用いたキセル配管の通線状況を表した動作説明図である。
途中で離間した一方の既設管路４３から他方の既設管路（所謂、キセル配管４７の管路）４５に線条体を通線するには、リング２３に既設線２１を通す。リング２３に既設線２１を通したなら、先ず、ロッド１１を一方の既設管路４３へ挿入し、ロッド１１を押し込みながら、ロッド１１の全てを挿入する。
【００３９】
一方の既設管路４３を進むロッド１１が、配管離間部４９に達すると、ロッド１１は、一方の既設管路４３によるガイドが断たれる。その際、ロッド１１は、他方の既設管路４５へと通線されている既設線２１にリング２３を介してガイドされ、他方の既設管路４５の入り口まで前進する。
【００４０】
他方の既設管路４５の開口位置がロッド１１の先端部１５に一致する場合には、リング２３によるガイドのみでロッド１１は他方の既設管路４５へと挿入が可能となる。これに対し、リング２３により他方の既設管路４５の近傍にまでは到達したが、他方の既設管路４５から外れた場合、或いは他方の既設管路４５に通線される他の既設線２１に当たり進入できない場合等には、通線方向後端に設けられた操作部３７が操作され、ワイヤー１３が押し引きされる。
【００４１】
２対のワイヤー１３のそれぞれ、或いは双方が操作されることにより、先端部１５が任意方向に屈曲され、他方の既設管路４５への進入が可能となる。この際、撮像手段３１が設けられる構成では、外部より他方の既設管路４５及び先端部１５の向きが容易に確認可能となり、よりスムーズな他方の既設管路４５への進入が可能となる。このように、ロッド１１が、途中で離間した一方の既設管路４３から導出され、既設配管によるガイドが断たれても、通線方向後端側でワイヤー１３が操作されることで、ロッド１１の先端部１５が屈曲して、所望の方向へ自立して方向転換が可能となる。通線装置１００が両既設配管４３，４５を挿通したら、通線装置１００に不図示の線条体を取り付け引っ張ることにより、線条体が両既設配管４３，４５を通過して通線される。
【００４２】
これにより、ロッドがそのまま押し込まれる従来の通線方法では、到達できなかった他方の既設管路４５に、容易な進入が可能となる。
【００４３】
したがって、上記構成の通線装置１００によれば、ワイヤー１３を通線方向後端側で操作して、ロッド１１の先端部１５を任意方向に首振り可能にするので、従来、通線の不可能であった途中で離間した一方の既設管路４３から他方の既設管路４５に線条体を通線することができる。
【００４４】
また、上記の通線方法によれば、ロッド１１の先端部１５に固定したワイヤー１３を通線方向後端側で操作することで、ロッド１１の先端向きを任意方向に変えて管路内に線条体を通線するので、途中で管路が離間した所謂キセル配管４７であっても、一方の既設管路４３から出たロッド１１の先端部１５を屈曲させて方向転換し、他方の既設管路４５へ導くことができる。
【符号の説明】
【００４５】
１１  ロッド
１３  ワイヤー
１５  先端部
２１  既設線
２３  リング
２５  屈曲容易部
３１  撮像手段
４３  途中で離間した一方の管路
４５  他方の管路
１００  通線装置
【図１】
2010263694.tif 000003
【図２】
2010263694.tif 000004
【図３】
2010263694.tif 000005
【図４】
2010263694.tif 000006
【図５】
2010263694.tif 000007
【図６】
2010263694.tif 000008
【図７】
2010263694.tif 000009
【図８】
2010263694.tif 000010
【図９】
2010263694.tif 000011
【図１０】
2010263694.tif 000012